(57)【特許請求の範囲】
【請求項１】
冷蔵室に給水装置が設けられるとともに、断熱仕切壁を介して前記冷蔵室の下方に形成される製氷室に自動製氷装置が設けられる冷蔵庫において、
前記給水装置は、
水を貯留する給水タンクと、
前記給水タンクの底面部奥側に設けられる給水ポンプ部と、前記給水ポンプ部から排出される製氷用の水の通路である給水パイプとを有する給水ポンプユニットと、
前記給水タンクの外部に設けられ、前記給水ポンプ部のインペラ部を非接触で駆動する駆動部と、
前記給水タンクの内部で前記給水ポンプ部より手前に設けられ、上部には、前記給水パイプが前記給水ポンプ部から手前方向に延びて接続される開口部が形成され、下部には、前記断熱仕切壁に形成された貫通穴に臨む開口部が形成され、前記給水パイプから上部の開口部に供給される水を下部の開口部まで流す給水管路と、
前記給水管路の下部の開口部からの水を受ける水受け部と、
前記給水管路と前記水受け部とのシールを行うタンクパッキンと、
前記水受け部の先に設けられ、前記水受け部によって受けられる水を吐出する吐出口が前記自動製氷装置に臨むように形成された吐出パイプと、
前記水受け部と前記吐出パイプとのシールを行うパイプパッキンと、
前記駆動部を保持するとともに、前記吐出パイプが前記パイプパッキンを介して嵌合する前記水受け部を保持する電気部品保持部材と
を備え、
前記給水タンクは、前記冷蔵室の前後方向にスライドし、前記冷蔵室に着脱自在に取り付けられ、前記給水タンクが前記冷蔵室に取り付けられた状態では、前記給水管路の下部が前記水受け部の上面に前記タンクパッキンを介して載り、
前記吐出パイプが前記パイプパッキンを介して嵌合する前記水受け部は、前記給水タンクとは別個に前記電気部品保持部材に着脱自在に保持されることを特徴とする冷蔵庫。
【請求項２】
前記水受け部は、前記冷蔵室の奥行き方向の略中間位置に設けられることを特徴とする請求項１記載の冷蔵庫。
【請求項３】
前記給水管路は、前記給水タンクに別部品として取り付けられることを特徴とする請求項１又は請求項２記載の冷蔵庫。
【請求項４】
前記水受け部は、取っ手が付いていることを特徴とする請求項１乃至３のいずれかに記載の冷蔵庫。
【発明の詳細な説明】
【技術分野】
【０００１】
この発明は、自動製氷装置及び自動製氷装置への給水装置を搭載した冷蔵庫に関する。
【背景技術】
【０００２】
従来の冷蔵庫に搭載される自動製氷装置の給水装置は、例えば、給水タンク及び自動製氷装置を、仕切り壁により区画した冷蔵室及び冷凍室にそれぞれ配置する。給水ポンプが、前記給水タンクの底面部に配置されたインペラが磁気吸引力により回転駆動可能なポンプ部と、その給水タンクの外部に前記ポンプ部と対向して配置され、前記インペラに対して磁気吸引力により回転駆動させるモータ部とから構成される。前記給水タンクから前記給水ポンプにより給水される給水経路が、前記給水タンクの外の奥側に設けられる。
【０００３】
冷凍室には製氷皿が配設され、給水パイプを介して送られた製氷用の水が断熱仕切り壁の開口部を介して供給される。製氷皿には離氷機構が設けられており、製氷が完了すると前記離氷機構により製氷皿が反転回動され、さらに製氷皿にねじりが加えられて離氷するように構成されている。製氷皿の下には貯氷ケースが配設され、落下した氷が貯留されるようになっている。
【０００４】
給水タンクは、透明で縦型の容器状のタンクと、この上面開口部を閉塞するタンク蓋とからなり、このタンク蓋にはモータ部の磁気吸引力で回転するインペラ部が配設されるとともに、インペラ部から汲み上げられた製氷用の水を流通させる給水管路を一体に形成されている。給水管路から吐出された製氷用の水は、給水パイプを介して製氷皿に供給される。
【０００５】
上記構成において、モータ部を所定の時間回転させることで製氷皿に必要な製氷用の水が供給され、製氷が完了すると離氷動作により、製氷皿に生成された氷が下部に落下し、貯氷ケースに貯留される。この後、上述と同じ動作を繰り返して製氷動作を自動的に行う（例えば、特許文献１参照）。
【先行技術文献】
【特許文献】
【０００６】
【特許文献１】特許第３５４１１４７号
【発明の概要】
【発明が解決しようとする課題】
【０００７】
しかしながら、上述のような従来の給水装置の構成では、次のような不具合があった。
（１）まず、給水タンクから製氷皿への給水パイプは固定的に配設されており、清掃することを前提とした構成になっていない。
（２）また、タンク蓋に給水経路を設けているため、清掃する場合には一般的なブラシなどの清掃用具での清掃が容易ではなく、給水経路内の汚れを完全に清掃することができなかった。
（３）また、従来の給水装置の構成では、給水経路が長くなり、清掃性が容易ではなかった。
【０００８】
この発明は、上記のような課題を解決するためになされたもので、以下に示す自動製氷装置への給水装置を備えた冷蔵庫を提供する。
（１）全ての給水経路（給水タンクから製氷皿までの給水経路）の清掃が可能である。
（２）給水タンクや給水経路の着脱を簡単にできる。
（３）給水経路を短くすることで、清掃作業をより簡単に行うことができる。
【課題を解決するための手段】
【０００９】
この発明に係る冷蔵庫は、冷蔵室に給水装置が設けられるとともに、断熱仕切壁を介して冷蔵室の下方に形成される製氷室に自動製氷装置が設けられる冷蔵庫において、
給水装置は、以下に示す要素を備え、
（１）水を貯留する給水タンク；
（２）給水タンク内に設けられ、給水ポンプ部と、給水ポンプ部から排出される製氷用の水の通路である給水パイプとを有する給水ポンプユニット；
（３）給水タンクの外部に設けられ、給水ポンプ部のインペラ部を非接触で駆動する駆動部；
（４）給水タンク内に設けられ、給水パイプが接続されるとともに、吐出口が断熱仕切壁に形成された貫通穴に臨むように設けられる給水管路；
（５）給水管路からの水を受ける水受け部；
（６）水受け部の先に設けられ、水受け部の吐出口が自動製氷装置に臨む吐出パイプ；
（７）水受け部と吐出パイプとのシールを行うパイプパッキン；
（８）駆動部を保持するとともに、吐出パイプがパイプパッキンを介して嵌合する水受け部を保持する電気部品保持部材；
給水タンクは、冷蔵室の前後方向にスライドし、冷蔵室に着脱自在に取り付けられるとともに、吐出パイプがパイプパッキンを介して嵌合する水受け部は、電気部品保持部材に着脱自在に保持されるものである。
【発明の効果】
【００１０】
この発明に係る冷蔵庫は、給水装置の駆動部を除く全ての部品が取り外し可能であり、それらを取り外して清掃することができ、使用者の衛生面での不安感を拭うことができる。
【図面の簡単な説明】
【００１１】
【図１】実施の形態１を示す図で、冷蔵庫１００の正面図。
【図２】実施の形態１を示す図で、冷蔵庫１００の縦断面図。
【図３】実施の形態１を示す図で、冷蔵室の給水装置６０付近を上から見た部分横断面図。
【図４】図３のＡ−Ａ断面図。
【図５】図３のＢ−Ｂ断面図。
【図６】実施の形態１を示す図で、冷蔵室から引き出した状態の給水タンク６１の断面図。
【図７】実施の形態１を示す図で、第１の断熱仕切壁８０ａ付近の拡大断面図。
【図８】図４のＣ部拡大図。
【図９】実施の形態１を示す図で、給水管路６１ｂからの水を受ける水受け用部材の分解図。
【発明を実施するための形態】
【００１２】
実施の形態１．
本実施の形態の冷蔵庫は、以下に示す自動製氷装置への給水装置を備えた点にある。
（１）全ての給水経路（給水タンクから製氷皿までの給水経路）の清掃が可能である。
（２）給水タンクや給水経路の着脱を簡単にできる。
（３）給水経路を短くすることで、清掃作業をより簡単に行うことができる。
本題の給水装置を説明する前に、先ず冷蔵庫の構成の一例について説明する。
【００１３】
図１、図２は実施の形態１を示す図で、図１は冷蔵庫１００の正面図、図２は冷蔵庫１００の縦断面図である。図１、図２を参照しながら、冷蔵庫１００の構成について説明する。
【００１４】
図１に示すように、冷蔵庫１００は、複数の室を有し、上から順に冷蔵室、左右に配置される製氷室及び切替室、冷凍室、野菜室が形成されている。冷蔵室の前面開口部に、回転式の冷蔵室扉（左）１０ａ及び冷蔵室扉（右）１０ｂ（所謂、観音代扉）が開閉自在に取り付けられている。冷蔵室扉（左）１０ａの左右の幅は、冷蔵室扉（右）１０ｂのそれよりも短い。冷蔵室扉（左）１０ａの左右の幅が、後述する製氷室扉２０の左右の幅と略同じになるようにしている。その場合、冷蔵室扉（右）１０ｂの左右の幅は、後述する切替室扉３０の左右の幅と略同一である。
【００１５】
製氷室の前面開口部を、引き出し式の製氷室扉２０が開閉自在に覆う。引き出し式の製氷室扉２０には、内側に貯氷ケース２０ａを載置するフレーム２０ｂが固定されている（図２参照）。
【００１６】
切替室の前面開口部を、引き出し式の切替室扉３０が開閉自在に覆う。引き出し式の切替室扉３０の内側は、上面が開口した収納室になっている。
【００１７】
冷凍室の前面開口部を、引き出し式の冷凍室扉４０が開閉自在に覆う。
【００１８】
野菜室の前面開口部を、引き出し式の野菜室扉５０が開閉自在に覆う。
【００１９】
図２に示すように、冷蔵庫１００は、鋼板製の外箱と樹脂製の内箱との間に断熱材を充填して形成され、一面（前面）が開口した開口部を有する箱状の本体１０１（断熱箱体）を備える。本体１０１の内部は、以下に示す断熱仕切壁により複数の部屋に仕切られている。
【００２０】
冷蔵室と製氷室及び切替室との間は、断熱性を有する第１の断熱仕切壁８０ａで仕切られている。この第１の断熱仕切壁８０ａには、後述する給水装置６０の吐出パイプ９４（図８、図９参照）が配置される貫通穴８０ａ−５（図４参照）が開けられている。吐出パイプ９４から給水タンク６１（図６参照）の水が自動製氷装置７０に供給される。
【００２１】
製氷室及び切替室と冷凍室との間は、断熱性を有する第２の断熱仕切壁８０ｂで仕切られている。
【００２２】
冷凍室と野菜室との間は、断熱性を有する第３の断熱仕切壁８０ｃで仕切られている。
【００２３】
冷蔵室の内部は複数の棚が設けられ、食品が多段に収納可能なように設けられている。製氷室の上部には自動製氷装置７０を構成する製氷皿と離氷機構が配設されている。製氷皿には第１の断熱仕切壁８０ａに開口された貫通穴８０ａ−５（図４参照、給水用開口部）から後述する給水装置６０から給水される。離氷機構は製氷皿に貯留された水が凍ったことを検知されると、製氷皿を上下反転させるように回転しながらねじることで離氷動作するもので、下方に氷が落下し、貯氷ケース２０ａに貯留されるものである。
【００２４】
冷蔵室の下部に給水装置６０（詳細は後述する）が設けられる。また、製氷室に給水装置６０から水が供給されて製氷を行う自動製氷装置７０が設置される。本実施の形態は、給水装置６０の構成に特徴がある。詳細は後述するが、給水装置６０を構成する給水タンク６１（図６参照）を使用者が外部に引き出すことができ、洗浄することが可能である。また、給水タンク６１よりも先の水受け部９２及び吐出パイプ９４（ともに、図８、図９参照）も簡単に取り外すことができ、洗浄することが可能である。
【００２５】
その他の構成は、一般的な冷蔵庫と同じなので概要を簡単に説明するにとどめる。冷媒を圧縮する圧縮機（例えば、往復式圧縮機）を用いた冷凍サイクルにより冷気を生成して、その冷気により各貯蔵室を冷却する。圧縮機は、冷蔵庫１００の底部付近の機械室（本体１０１の外部）に設置される。圧縮機で圧縮された高温・高圧の冷媒ガスは、凝縮器で冷却されて高圧の液冷媒になり、さらに減圧装置（通常は、キャピラリーチューブ）で減圧されて低圧の二相冷媒になる。低圧の二相冷媒は、蒸発器（冷却器）で冷蔵庫１００の各貯蔵室を冷却することにより低圧のガス冷媒となり圧縮機に戻る。このサイクルを繰り返す。
【００２６】
冷蔵庫１００では、例えば、冷凍室の背面に冷却器と、送風機とを少なくとも備える冷却器室が設けられる。送風機により、冷却器で生成された冷気が各貯蔵室に送られる。各貯蔵室の温度は、冷気の風量をダンパーにより制御することで、設定された温度に制御される。
【００２７】
図３乃至図７は実施の形態１を示す図で、図３は冷蔵室の給水装置６０付近を上から見た部分横断面図、図４は図３のＡ−Ａ断面図、図５は図３のＢ−Ｂ断面図、図６冷蔵室から引き出した状態の給水タンク６１の断面図、図７は第１の断熱仕切壁８０ａ付近の拡大断面図である。
【００２８】
図３は給水装置６０が設置されている冷蔵室の左側部分のみを示している。給水装置６０は、冷蔵室扉（左）１０ａの物品収納ポケット１０ａ−１に対向して、冷蔵室の左端部付近に設けられる。
【００２９】
給水装置６０は、詳細は後述するが、給水タンク本体６１ａ内に、給水ポンプ部６２と、給水ポンプ部６２から排出される製氷用の水の通路である給水パイプ６３とを有する給水ポンプユニット６４、給水パイプ６３が接続される給水管路６１ｂ（図４参照）の吐出口が臨む水受け部９２等が設けられる。水受け部９２は、冷蔵室の奥行き方向の略中間位置に設けられる。従って、清掃のために水受け部９２を取り外す際に、使用者の手が届きやすい。
【００３０】
冷蔵室の給水装置６０付近の構成を、図４、図５を参照しながら説明する。給水装置６０は、以下に示す要素を少なくとも備える。
（１）水を貯留する給水タンク６１；
（２）給水タンク６１内に設けられ、給水ポンプ部６２と、給水ポンプ部６２から排出される製氷用の水の通路である給水パイプ６３（シリコンゴム）とを有する給水ポンプユニット６４；
（３）給水タンク６１の外部に設けられ、給水ポンプ部６２のインペラ部６２ａ（図６参照）を非接触で駆動するモータ部９６（駆動部）；
（４）給水タンク６１内に設けられ、給水パイプ６３が接続されるとともに、吐出口が第１の断熱仕切壁８０ａ（断熱仕切壁の一例）に形成された貫通穴８０ａ−５に臨むように設けられる給水管路６１ｂ；
（５）給水管路６１ｂからの水を受ける水受け部９２（図８、図９参照）；
（６）給水管路６１ｂと水受け部９２とのシールを行うタンクパッキン９１（図８、図９参照）；
（７）水受け部９２の先に設けられ、その先端（吐出口）が自動製氷装置７０に臨む吐出パイプ９４（図８、図９参照）；
（８）水受け部９２と吐出パイプ９４とのシールを行うパイプパッキン９３（図８、図９参照）；
（９）モータ部９６（駆動部）及び凍結防止用ヒータ（図示せず、吐出パイプ９４の外周に設けられる）等を保持するともに、吐出パイプ９４がパイプパッキン９３を介して嵌合する水受け部９２を保持する電気部品保持部材９７（仕切り板）；
【００３１】
給水タンク６１は、ＰＳ（ポリスチレン樹脂）製の透明で縦型の容器状の給水タンク本体６１ａと、給水タンク本体６１ａの上面の開口部を閉塞するように着脱可能なタンク蓋６１ｃが装着されている。タンク蓋６１ｃには外周部にパッキン６５が取り付けられており、パッキン６５より給水タンク本体６１ａの開口部を密に閉塞可能にしている。
【００３２】
給水タンク６１の給水タンク本体６１ａには、冷蔵室の奥側（図６では右側）の底面部に下方に吐出する凸形状６１ａ−１を有し、電気部品保持部材９７（仕切り板）には給水タンク６１の収納位置にその凸形状６１ａ−１（図６参照）と対応する凹段部９７ａ（図７参照、凹部）が設けられている。
【００３３】
図６に示すように、給水タンク６１は凸形状６１ａ−１の手前側に、凸形状６１ａ−１となだらかな傾斜面６１ａ−２により底面部６１ａ−３とつながっている。底面部６１ａ−３の手前側には足部６１ｄが一体形成され、収納状態及び引き出された状態では、足部６１ｄと凸形状６１ａ−１とが略同じ高さであるの、給水タンク６１が平行状態になるように構成されている。
【００３４】
電気部品保持部材９７（仕切り板）の凹段部９７ａの手前には給水タンク６１の傾斜面６１ａ−２に沿うなだらかな前上がりの傾斜面９７ｃが設けられるとともに、その傾斜面９７ｃの手前側にはよりなだらかな前下がりの傾斜面９７ｄで電気部品保持部材９７（仕切り板）の平面部９７ｅとつながっている。この平面部９７ｅは凹段部９７ａと同じ高さに構成されている。前上がりの傾斜面９７ｃと、前下がりの傾斜面９７ｄとが交わる部分を頂点とする上方に突出する箇所を凸段部９７ｂとする。
【００３５】
また、給水タンク６１の底面部奥側（凸形状６１ａ−１の部分）には給水ポンプユニット６４が固定されている。この給水ポンプユニット６４は給水ポンプ部６２と、この給水ポンプ部６２から排出される製氷用の水の通路である給水パイプ６３（シリコンゴム）とで構成されている。
【００３６】
給水ポンプ部６２には円盤状の磁石を固着したインペラ部６２ａが収納されており、このインペラ部６２ａと対向するように外部に配設されたモータ部９６（駆動部）により磁気吸引力で回転駆動されるようになっている。給水ポンプ部６２の正面（図６では左側）に吸い込み口６２ｂが設けられている。吸い込み口６２ｂから給水タンク６１の水を吸い込んで給水タンク６１に設けられた給水管路６１ｂ側に吐出する。
【００３７】
給水管路６１ｂは、給水タンク本体６１ａと一体で形成され、上下に開口部を持ち、上部には給水パイプ６３が接続され、給水パイプ６３から供給された水を下部の開口部まで流通させる。この給水管路６１ｂの下部の開口部は水受け部９２の上面開口部に臨むように配設されている。
【００３８】
尚、給水管路６１ｂは、給水タンク本体６１ａと別部品で構成してもよい。給水管路６１ｂが給水タンク本体６１ａとを一体に成形する場合は、給水タンク本体６１ａの形状が複雑なため、成形用の金型も複雑な構造となる。しかし、給水管路６１ｂを給水タンク本体６１ａと別部品で構成すれば、給水タンク本体６１ａの成形用金型がその分簡単な構造にできる利点がある。
【００３９】
モータ部９６（駆動部）は、仕切板（電気部品保持部材９７）を介した奥側に回転軸（図示せず）を水平方向に配設されるとともに、給水タンク６１の給水ポンプ部６２のインペラ部６２ａと対向するように回転部（図示せず）が配設される。その回転部には磁石板が固定されており、仕切板（電気部品保持部材９７）及び給水タンク６１の壁面を介して磁気吸引力を利用して給水ポンプ部６２のインペラ部６２ａを回転駆動させる。
【００４０】
図８、図９は実施の形態１を示す図で、図８は図４のＣ部拡大図、図９は給水管路６１ｂからの水を受ける水受け用部材の分解図である。
【００４１】
給水タンク６１が正規の位置に設置された状態では、給水タンク本体６１ａの給水管路６１ｂの下部開口部が、水受け部９２の上面にタンクパッキン９１を介して載る。タンクパッキン９１は給水管路６１ｂからの冷蔵室内への水漏れを抑制する。
【００４２】
水受け部９２は上面が開口した漏斗状で、下部にアルミで形成された筒状の吐出パイプ９４と接続されている。水受け部９２と吐出パイプ９４との接続部にはパイプパッキン９３が取り付けられ、水受け部９２と吐出パイプ９４とを密に閉塞し、水漏れを防止している。
【００４３】
吐出パイプ９４の先端は、製氷室に臨むため、製氷室の冷気が吐出パイプ９４から給水タンク６１側へ流れる。そのため、図示はしないが、吐出パイプ９４の外周を覆う電気部品保持部材９７の周囲にヒータを設けて吐出パイプ９４内部の凍結を抑制している。
【００４４】
また、水受け部９２と吐出パイプ９４との接続部に設けられるパイプパッキン９３は、吐出パイプ９４から給水タンク６１側へ流れる製氷室の冷気の冷蔵室への漏れを抑制している。
【００４５】
吐出パイプ９４から給水タンク６１側へ流れる製氷室の冷気が、給水タンク６１内へ侵入する恐れは少ない。給水ポンプ部６２付近には、常時水が溜まっていて製氷室の冷気をここで遮断するからである。また、給水タンク本体６１ａの上面の開口部を閉塞するように着脱可能なタンク蓋６１ｃが装着されていて、タンク蓋６１ｃには外周部にパッキン６５が取り付けられており、パッキン６５より給水タンク本体６１ａの開口部を密に閉塞しているからである。
【００４６】
水受け部９２には取っ手９２ａが設けられ、例えば、水受け部９２を洗浄するときに手前側から取外しし易いように構成されている。
【００４７】
次に給水動作について述べる。自動製氷動作において、モータ部９６が駆動されると、給水ポンプ部６２のインペラ部６２ａが回転駆動される。すると、給水タンク６１内の製氷用の水が給水ポンプ部６２の吸い込み口６２ｂから吸い込まれて、給水パイプ６３を経て、給水管路６１ｂ内を流通し、水受け部９２から吐出パイプ９４を経て、製氷皿に製氷用の水が供給される。
【００４８】
所定時間のモータ部９６の駆動により、製氷皿に所定の製氷用の水が供給される。その後、製氷室内で製氷が検知されると、離氷機構により離氷動作がなされ製氷皿の氷が落下し、貯氷ケース２０ａ（図２参照）に貯留される。以後、前述の給水動作が行われる。
【００４９】
次に、給水装置６０の清掃作業（洗浄作業）を行う場合について説明する。給水タンク６１を清掃する場合には、冷蔵室より取っ手６１ｅにより給水タンク６１を取り出す。このとき、図６に示すような状態で、タンクパッキン９１が付いた状態で給水タンク６１が取り出される。清掃作業は、タンク蓋６１ｃを取り外し、給水ポンプユニット６４（給水ポンプ部６２、給水パイプ６３）を取り外して清掃することができる。
【００５０】
また、吐出パイプ９４を清掃する場合には、水受け部９２の取っ手９２ａを持ち、上方に持ち上げることで吐出パイプ９４と水受け部９２とを同時に冷蔵室から取り外すことができる（水受け部９２と吐出パイプ９４とは、パイプパッキン９３で固定されている）。これにより、吐出パイプ９４と水受け部９２とを簡単に清掃することができる。
【００５１】
装着時には、水受け部９２の取っ手９２ａを持って、所定の位置（電気部品保持部材９７の吐出パイプ９４挿入部）に落とし込むことで挿入され、第１の断熱仕切壁８０ａの所定の位置（貫通穴８０ａ−５）に位置決めされる。
【００５２】
以上のように、全ての給水経路（給水タンク６１から吐出パイプ９４まで）を簡単に取り外すことができるようにしているので、全ての給水経路を清掃することができ、給水装置６０の衛生性を保つことができる。
【符号の説明】
【００５３】
１０ａ  冷蔵室扉（左）、１０ａ−１  物品収納ポケット、１０ｂ  冷蔵室扉（右）、２０  製氷室扉、２０ａ  貯氷ケース、２０ｂ  フレーム、３０  切替室扉、４０  冷凍室扉、５０  野菜室扉、６０  給水装置、６１  給水タンク、６１ａ  給水タンク本体、６１ａ−１  凸形状、６１ａ−２  傾斜面、６１ａ−３  底面部、６１ｂ  給水管路、６１ｃ  タンク蓋、６１ｄ  足部、６１ｅ  取っ手、６２  給水ポンプ部、６２ａ  インペラ部、６２ｂ  吸い込み口、６３  給水パイプ、６４  給水ポンプユニット、６５  パッキン、７０  自動製氷装置、８０ａ  第１の断熱仕切壁、８０ａ−５  貫通穴、８０ｂ  第２の断熱仕切壁、８０ｃ  第３の断熱仕切壁、９１  タンクパッキン、９２  水受け部、９２ａ  取っ手、９３  パイプパッキン、９４  吐出パイプ、９６  モータ部、９７  電気部品保持部材、９７ａ  凹段部、９７ｂ  凸段部、９７ｃ  傾斜面、９７ｄ  傾斜面、９７ｅ  平面部、１００  冷蔵庫、１０１  本体。
【図１】
0005478365.tif 000002
【図２】
0005478365.tif 000003
【図３】
0005478365.tif 000004
【図４】
0005478365.tif 000005
【図５】
0005478365.tif 000006
【図６】
0005478365.tif 000007
【図７】
0005478365.tif 000008
【図８】
0005478365.tif 000009
【図９】
0005478365.tif 000010